(57)【要約】【課題】トナー収容容器内に堆積した山状のトナーを崩すことができる画像形成装置を提供すること。【解決手段】画像形成装置は、トナーを用いてシートに画像を形成する画像形成部と、画像形成部から排出されるトナーを収容するトナー収容容器３６４と、シートを搬送するレジストローラー４５Ａと、レジストローラー４５Ａの回転面に接触して配置され、レジストローラー４５Ａの回転及び停止に伴って弾性変形すると共に揺動する弾性部材７１と、弾性部材７１と共に揺動可能であって、レジストローラー４５Ａの回転及び停止に伴ってトナー収容容器３６４に対して接触及び離間する支持部材７２とを備える。【選択図】図４
2015206962.tif 000002
【特許請求の範囲】
【請求項１】
トナーを用いてシートに画像を形成する画像形成部と、
前記画像形成部から排出されるトナーを収容するトナー収容部と、
前記シートを搬送する搬送ローラーと、
前記搬送ローラーの回転面に接触して配置され、前記搬送ローラーの回転及び停止に伴って弾性変形すると共に揺動する弾性部材と、
前記弾性部材と共に揺動可能であって、前記搬送ローラーの回転及び停止に伴って前記トナー収容部に対して接触及び離間する接触部と、
を備える画像形成装置。
【請求項２】
前記接触部が、前記弾性部材の変形及び復元に応じて、前記トナー収容部に接触する第１位置及び前記トナー収容部から離間する第２位置を経由して移動する請求項１に記載の画像形成装置。
【請求項３】
前記弾性部材が、前記搬送ローラーの回転によって変形した後、前記搬送ローラーの停止によって復元し、
前記接触部が、前記弾性部材の変形に応じて前記第１位置に移動し、前記弾性部材の復元に応じて前記第２位置に移動する請求項２に記載の画像形成装置。
【請求項４】
前記弾性部材が、前記搬送ローラーの回転によって変形した後、前記搬送ローラーの停止によって復元し、
前記第１位置が、前記弾性部材が変形したときに前記トナー収容部に接触する第３位置と、前記弾性部材が復元したときに前記トナー収容部に接触する第４位置とを含み、
前記接触部が、前記弾性部材が変形する際に前記第２位置を経て前記第１位置に移動し、前記弾性部材が復元する際に前記第２位置を経て前記第１位置に移動する請求項２に記載の画像形成装置。
【請求項５】
前記弾性部材が、前記搬送ローラーの軸方向に沿って長尺状であり、前記搬送ローラーからシート片を除去するシート片除去部材を兼ねる請求項１〜４のいずれかに記載の画像形成装置。
【請求項６】
前記搬送ローラーが、前記画像形成部に前記シートを送出するレジストローラーである請求項１〜５のいずれかに記載の画像形成装置。
【請求項７】
前記トナー収容部が、前記搬送ローラーから前記搬送ローラーの軸方向に離間する位置に配置されると共に、前記搬送ローラーから離間する方向に凹む凹部を有し、
前記接触部が、前記トナー収容部における前記凹部の内面に対して接触及び離間する請求項１〜６のいずれかに記載の画像形成装置。
【発明の詳細な説明】
【技術分野】
【０００１】
本発明は、トナーを用いて画像を形成する画像形成装置に関する。
【背景技術】
【０００２】
一般に、電子写真方式で画像を形成可能な複写機やプリンター装置などの画像形成装置では、感光体ドラムなどの像担持体に形成されたトナー像が印刷用紙などのシートに転写されて画像が形成される。この種の画像形成装置において、感光体ドラムの表面に残留したトナーをクリーニング装置によって除去し、除去されたトナーをトナー収容容器に収容する構成が知られている（例えば、特許文献１参照）。
【先行技術文献】
【特許文献】
【０００３】
【特許文献１】特開２００１−１０９３４８号公報
【発明の概要】
【発明が解決しようとする課題】
【０００４】
ところで、トナーが落下によりトナー収容容器内に収容される構成では、トナー収容容器内でトナーが山状に堆積することがある。この場合、山状に堆積したトナーの頂部が、トナー収容容器のトナー満杯状態を検知するセンサーの検知範囲に到達し、トナー収容容器内のトナーの収容空間に空きがある早い段階で満杯状態が検出されることがある。
【０００５】
本発明の目的は、トナー収容容器内に堆積した山状のトナーを崩すことができる画像形成装置を提供することにある。
【０００６】
本発明に係る画像形成装置は、画像形成部と、トナー収容部と、搬送ローラーと、弾性部材と、接触部とを備える。前記画像形成部は、トナーを用いてシートに画像を形成する。前記トナー収容部は、前記画像形成部から排出されるトナーを収容する。前記搬送ローラーは、前記シートを搬送する。前記弾性部材は、前記搬送ローラーの回転面に接触して配置され、前記搬送ローラーの回転及び停止に伴って弾性変形すると共に揺動する。前記接触部は、前記弾性部材と共に揺動可能であって、前記搬送ローラーの回転及び停止に伴って前記トナー収容部に対して接触及び離間する。
【発明の効果】
【０００７】
本発明によれば、トナー収容容器内に堆積した山状のトナーを崩すことができる画像形成装置が実現される。
【図面の簡単な説明】
【０００８】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の後部の構成を示す図である。
【図４】図４は、本発明の実施形態に係る画像形成装置の振動付与部周辺の構成を示す図である。
【図５】図５は、本発明の実施形態に係る画像形成装置の振動付与部の構成を示す図である。
【図６】図６は、本発明の実施形態に係る画像形成装置のトナー収容容器の底部の状態を示す図である。
【図７】図７は、本発明の実施形態に係る画像形成装置のレール部の構成を示す図である。
【図８】図８は、本発明の実施形態に係る画像形成装置の振動付与部の動作を説明するための図である。
【図９】図９は、本発明の実施形態に係る画像形成装置の振動付与部の動作を説明するための図である。
【図１０】図１０は、本発明の実施形態に係る画像形成装置の振動付与部の動作を説明するための図である。
【図１１】図１１は、本発明の他の実施形態に係る画像形成装置のトナー収容容器の底部の状態を示す図である。
【発明を実施するための形態】
【０００９】
以下、添付図面を参照しながら本発明の実施形態について説明し、本発明の理解に供する。なお、以下の実施形態は本発明を具体化した一例であって、本発明の技術的範囲を限定する性格のものではない。
【００１０】
［画像形成装置１０の概略構成］
まず、図１〜図３を参照しつつ、本発明の実施形態に係る画像形成装置１０の概略構成について説明する。ここで、図１は前記画像形成装置１０の構成を示す断面模式図である。また、図３は前記画像形成装置１０の後部の構成を示す斜視図である。なお、図１において、紙面手前側に前記画像形成装置１０の右側面が位置し、紙面奥側に前記画像形成装置１０の左側面が位置する。また、図３では、ＡＤＦ１及び画像読取部２が取り外され、更に前記画像形成装置１０の後面及び右側面の外装カバーが取り外されて、搬送路４０Ａが露出した状態の前記画像形成装置１０が示されている。
【００１１】
図１及び図２に示すように、前記画像形成装置１０は、前記ＡＤＦ１、前記画像読取部２、画像形成部３、シート搬送部４、制御部５、操作表示部６、及び振動付与部７を備える。前記画像形成装置１０は、画像データに基づいて画像を形成するプリンター機能と共に、スキャン機能、ファクシミリー機能、又はコピー機能などの複数の機能を有する複合機である。また、本発明は、プリンター装置、ファクシミリー装置、及びコピー機などの画像形成装置に適用可能である。
【００１２】
前記ＡＤＦ１は、不図示の原稿セット部、複数の搬送ローラー、原稿押さえ、及び排紙部を備え、前記画像読取部２によって読み取られる原稿を搬送する自動原稿搬送装置である。前記画像読取部２は、原稿から画像データを読み取る画像読取部であり、不図示の原稿台、読取ユニット、複数のミラー、光学レンズ、及びＣＣＤ（Charge Coupled Device）を備える。前記制御部５は、不図示のＣＰＵ、ＲＯＭ、ＲＡＭ、及びＥＥＰＲＯＭなどの制御機器を備え、前記画像形成装置１０の動作を制御する。前記操作表示部６は、前記制御部５からの制御指示に応じて各種の情報を表示する液晶ディスプレーなどの表示部、及びユーザーの操作に応じて前記制御部５に各種の情報を入力する操作キー又はタッチパネルなどの操作部を有する。
【００１３】
前記画像形成部３は、前記画像読取部２で読み取られた画像データに基づいて画像を形成する画像形成処理（印刷処理）を実行することが可能な電子写真方式の画像形成部である。また、前記画像形成部３は、外部のパーソナルコンピューター等の情報処理装置から入力された画像データに基づいて前記画像形成処理を実行することも可能である。
【００１４】
具体的に、前記画像形成部３は、図１に示すように、感光体ドラム３１、帯電装置３２、光走査装置（ＬＳＵ）３３、現像装置３４、転写ローラー３５、クリーニング装置３６、定着ローラー３７、加圧ローラー３８、及び排紙トレイ３９を備える。そして、前記画像形成部３では、トナーを用いて前記シート搬送部４に着脱可能な給紙カセット４１から供給されるシートに以下の手順で画像が形成され、画像形成後の前記シートが前記排紙トレイ３９に排出される。なお、前記シートは、紙、コート紙、ハガキ、封筒、及びＯＨＰシートなどのシート材料である。
【００１５】
まず、前記帯電装置３２によって前記感光体ドラム３１が所定の電位に一様に帯電される。次に、前記光走査装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナー像として現像（可視像化）される。なお、前記現像装置３４には、前記画像形成部３に着脱可能なトナーコンテナ３４Ａからトナー（現像剤）が補給される。続いて、前記感光体ドラム３１に形成されたトナー像は、前記感光体ドラム３１及び前記転写ローラー３５により形成された転写ニップ部３５Ａにおいて、前記シート搬送部４により搬送される前記シートに転写される。その後、前記シートに転写されたトナー像は、その前記シートが前記定着ローラー３７及び前記加圧ローラー３８の間を通過する際に前記定着ローラー３７で加熱されて溶融定着する。
【００１６】
一方、前記感光体ドラム３１の表面に残存したトナーは前記クリーニング装置３６で除去される。例えば、前記クリーニング装置３６では、前記感光体ドラム３１の表面に残存したトナーがブレード状のクリーニング部材３６１により除去されて、搬送スクリュー３６２により前記画像形成装置１０の右側部に設けられた排出口３６３（図３参照）に向けて搬送される。一方、前記排出口３６３には、図３に示すように、トナー収容容器３６４が装着されている。具体的に、前記トナー収容容器３６４は、前記トナー収容容器３６４の上部に設けられた開口部３６４Ａが前記排出口３６３に接続されて装着される。そして、前記排出口３６３から排出されるトナーは、前記トナー収容容器３６４の内部に落下して前記トナー収容容器３６４の内部に形成された収容空間内に収容される。ここに、前記トナー収容容器３６４が、本発明におけるトナー収容部の一例である。
【００１７】
ここで、前記画像形成装置１０では、前記トナー収容容器３６４が満杯状態となった場合に、前記トナー収容容器３６４の満杯状態が報知される。具体的に、前記トナー収容容器３６４の側部には、前記トナー収容容器３６４の内部に蓄積されたトナーの予め定められた検知範囲への到達を検知する満杯検知センサー３０Ａ（図２参照）が設けられている。そして、前記制御部５は、前記満杯検知センサー３０Ａからトナーの前記検知範囲への到達を示す電気信号が出力された場合に、前記操作表示部６にその旨の表示をさせると共に、ユーザーに前記トナー収容容器３６４の交換を促す旨のメッセージを表示させる。なお、前記満杯検知センサー３０Ａは、例えば前記トナー収容容器３６４の内部に光を照射する反射型又は透過型の光センサーである。
【００１８】
前記シート搬送部４は、前記画像形成部３で画像が形成される前記シートを搬送する。具体的に、前記シート搬送部４は、図１に示すように、給紙カセット４１、ピックアップローラー４２、給紙ローラー対４３、複数の搬送ローラー対４４、レジストローラー４５Ａ〜４５Ｂ、及び排出ローラー対４６を備える。前記ピックアップローラー４２、前記給紙ローラー対４３、複数の前記搬送ローラー対４４、前記レジストローラー４５Ａ〜４５Ｂ、及び前記排出ローラー対４６は、不図示のモーターで生じる駆動力が伝達されて回転し、前記シートを搬送する。
【００１９】
前記給紙カセット４１は、前記画像形成部３で画像が形成される前記シートを収容する。前記給紙カセット４１に収容された前記シートは、前記給紙カセット４１の底部に設けられた不図示のリフト板により、前記給紙カセット４１の後端上部に設けられた前記ピックアップローラー４２との接触位置まで持ち上げられる。そして、前記ピックアップローラー４２に接触した最上層の前記シートは、前記ピックアップローラー４２及び前記給紙ローラー対４３により前記搬送路４０Ａに送出されて、前記搬送ローラー対４４により前記搬送路４０Ａ内を搬送される。
【００２０】
前記レジストローラー４５Ａ〜４５Ｂは、前記感光体ドラム３１に形成されたトナー像の前記転写ニップ部３５Ａへの到達に合わせて、予め定められたタイミングで前記シートを前記転写ニップ部３５Ａに送出する。ここに、前記レジストローラー４５Ａが、本発明における搬送ローラーの一例である。
【００２１】
具体的に、前記搬送路４０Ａの前記シートの搬送方向における前記レジストローラー４５Ａ〜４５Ｂの上流側には、前記シートの有無を検知するシートセンサー４０Ｂ（図２参照）が設けられている。前記シートセンサー４０Ｂは、例えば透過型又は反射型の光センサーである。一方、前記制御部５は、前記シートセンサー４０Ｂから前記シートの検知を示す電気信号が出力された場合に、検知された前記シートを送出する前記タイミングを決定する。そして、前記制御部５は、前記モーターで生じた駆動力の前記レジストローラー４５Ａ〜４５Ｂへの伝達の有無を切替可能な不図示の電磁クラッチによって前記レジストローラー４５Ａ〜４５Ｂの回転を制御することで、決定された前記タイミングで前記シートを送出する。これにより、前記感光体ドラム３１に形成されたトナー像の前記転写ニップ部３５Ａへの到達に合わせて、前記シートが前記転写ニップ部３５Ａに送出される。
【００２２】
そして、前記転写ニップ部３５Ａを通過してトナー像が転写されたシートは、前記定着ローラー３７及び前記加圧ローラー３８の間を通過することで前記トナー像が溶融定着された後、前記搬送ローラー対４４により前記排出ローラー対４６まで搬送される。その後、前記シートは前記排出ローラー対４６により前記排紙トレイ３９に排出される。
【００２３】
ところで、トナーが落下により前記トナー収容容器３６４内に収容される構成では、前記トナー収容容器３６４内でトナーが山状に堆積することがある。この場合、山状に堆積したトナーの頂部が、前記トナー収容容器３６４のトナー満杯状態を検知する前記満杯検知センサー３０Ａの検知範囲に到達し、前記トナー収容容器３６４内のトナーの収容空間に空きがある早い段階で満杯状態が検出されることがある。これに対し、前記画像形成装置１０では、以下に説明するように、前記トナー収容容器３６４内に堆積した山状のトナーを崩すことが可能である。
【００２４】
以下、図３〜図７を参照しつつ、前記振動付与部７について説明する。ここで、図４は前記画像形成装置１０における前記レジストローラー４５Ａ、前記トナー収容容器３６４、及び前記振動付与部７の位置関係を示す斜視図である。また、図５は前記振動付与部７の構成を示す斜視図であって、図６は前記トナー収容容器３６４の底面の状態を示す底面模式図である。また、図７は前記レール部７３の構成を示す断面模式図である。なお、図４〜図７においては、前記画像形成装置１０における各構成部材の配置状態に基づいて、上下方向、左右方向、及び前後方向が定義されている。また、図４及び図５では、前記レール部７３の記載が省略されている。
【００２５】
前記振動付与部７は、前記画像形成装置１０の前方向側の前記レジストローラー４５Ａ（図１参照）の回転に応じて、前記トナー収容容器３６４に振動を付与する。具体的に、前記画像形成装置１０では、図３及び図４に示すように、前記トナー収容容器３６４が前記レジストローラー４５Ａから前記レジストローラー４５Ａの軸方向に離間する位置に配置されている。そして、前記振動付与部７は、図４に示すように、前記レジストローラー４５Ａに接触して設けられ、前記画像形成装置１０の前後方向に揺動して前記トナー収容容器３６４に接触することで、前記トナー収容容器３６４に振動を付与することが可能である。
【００２６】
より具体的に、前記振動付与部７は、図５及び図７に示すように、弾性部材７１、支持部材７２、及びレール部７３を備える。
【００２７】
前記弾性部材７１は、前記レジストローラー４５Ａの回転面に接触して配置され、前記レジストローラー４５Ａの回転及び停止に伴って弾性変形すると共に揺動する。例えば、前記弾性部材７１は、合成樹脂等で形成されたスポンジである。
【００２８】
具体的に、前記弾性部材７１は、図４に示すように、前記レジストローラー４５Ａの下側であって前記レジストローラー４５Ａの軸心より前方向の位置（図９及び図１０参照）に配置される。そして、前記弾性部材７１は、前記レジストローラー４５Ａが回転方向４５Ｃに沿って回転することにより、前記レジストローラー４５Ａの回転に巻き込まれる形で前記画像形成装置１０の後方向に前記支持部材７２と共に移動する。また、前記弾性部材７１は、前記レジストローラー４５Ａが回転方向４５Ｃに沿って回転する際に作用する前記レジストローラー４５Ａからの押圧力によって変形する。なお、前記弾性部材７１の変形後、前記レジストローラー４５Ａは前記弾性部材７１に当接しながら回転可能である。一方、前記弾性部材７１は、前記レジストローラー４５Ａの回転の停止により、前記レジストローラー４５Ａから押圧力を受けなくなると元の形状に復元する。このとき、前記弾性部材７１は、復元時の前記レジストローラー４５Ａに対する反発力により前記画像形成装置１０の前方向に前記支持部材７２と共に移動する。これにより、前記弾性部材７１は前記画像形成装置１０の前後方向に沿って揺動可能である。
【００２９】
また、前記弾性部材７１は、図４及び図５に示すように、前記レジストローラー４５Ａの軸方向に沿って長尺状であって、前記レジストローラー４５Ａから前記シートのシート片を除去するシート片除去部材を兼ねている。即ち、本発明は、前記画像形成装置１０に設けられるシート片除去部材を利用して実現することが可能である。
【００３０】
前記支持部材７２は、前記弾性部材７１と共に揺動可能であって、前記レジストローラー４５Ａの回転及び停止に伴って前記トナー収容容器３６４に対して接触及び離間する。ここに、前記支持部材７２が、本発明における接触部の一例である。
【００３１】
具体的に、前記支持部材７２は、図５に示すように、前記レジストローラー４５Ａの軸方向に沿って長尺状であって前記弾性部材７１の底面を支持する支持部７２Ａと、前記支持部７２Ａの前端部に立設されて前記弾性部材７１の側面を支持する壁部７２Ｂを有する。そして、前記支持部材７２は、前記支持部７２Ａ及び前記壁部７２Ｂによって支持された前記弾性部材７１が前記画像形成装置１０の前後方向に沿って揺動する場合に、前記弾性部材７１と共に揺動可能である。
【００３２】
また、前記支持部材７２は、図５に示すように、前記支持部７２Ａの右側端部から右方向に谷状に延設された谷部７２Ｃと、前記谷部７２Ｃの底部から下方向に突出する突出部７２Ｄと、前記谷部７２Ｃの右側端部において前後方向に突出して形成された接触部７２Ｅを有する。
【００３３】
ここで、前記トナー収容容器３６４は、図４及び図６に示すように、前記レジストローラー４５Ａから離間する方向（図６における右方向）に凹む凹部３６４Ｂを有する。そして、前記画像形成装置１０では、前記トナー収容容器３６４及び前記支持部材７２が、前記弾性部材７１が揺動した際に前記支持部材７２の前記接触部７２Ｅが前記凹部３６４Ｂの内面３６４Ｃと接触可能な位置に、各々配置される。具体的に、前記画像形成部１０では、前記レジストローラー４５Ａの回転により前記弾性部材７１が変形して前記画像形成装置１０の後方向に移動した際に、前記接触部７２Ｅが前記内面３６４Ｃと接触する。また、前記レジストローラー４５Ａの回転の停止により前記弾性部材７１が復元して前記画像形成装置１０の前方向に移動した際に、前記接触部７２Ｅが前記内面３６４Ｃから離間する。
【００３４】
なお、前記画像形成装置１０では、前記支持部材７２の前記接触部７２Ｅは、前記トナー収容容器３６４の前記凹部３６４Ｂ内に収納されて、前記凹部３６４Ｂ内で揺動する。そのため、前記支持部材７２の前記接触部７２Ｅが揺動するための空間を、前記画像形成装置１０の内部において確保する必要がない。
【００３５】
前記レール部７３は、前記支持部材７２を摺動可能に支持すると共に、前記支持部材７２の揺動範囲を制限する。例えば、前記レール部７３は、前記レジストローラー４５Ａの軸方向に沿って長尺状に設けられた部材であって、図７に示すように、支持面７３Ａ、第１側面７３Ｂ、及び第２側面７３Ｃを有する。
【００３６】
前記支持面７３Ａは、前記支持部材７２の底面を摺動可能に支持する。これにより、前記支持部材７２は、前記画像形成装置１０の前後方向に沿って揺動可能である。
【００３７】
前記第１側面７３Ｂは、前記支持部材７２の前記画像形成装置１０の後方向への移動を制限する。具体的に、前記第１側面７３Ｂは、前記レジストローラー４５Ａの回転により前記弾性部材７１が変形して後方向に移動した際に、前記支持部材７２の後端部に接触して前記支持部材７２の移動を制限する。ここで、前記レール部７３の前記第１側面７３Ｂは、前記接触部７２Ｅが前記トナー収容容器３６４の前記内面３６４Ｃに接触する際に前記支持部材７２の後端部と接触可能な位置に設けられる。ここに、前記第１側面７３Ｂ及び前記トナー収容容器３６４の前記内面３６４Ｃと接触する際の前記支持部材７２の位置が、本発明における第１位置の一例である。
【００３８】
前記第２側面７３Ｃは、前記支持部材７２の前記画像形成装置１０の前方向への移動を制限する。具体的に、前記第２側面７３Ｃは、前記レジストローラー４５Ａの回転の停止により前記弾性部材７１が復元して前方向に移動した際に、前記支持部材７２の前端部に接触して前記支持部材７２の移動を制限する。ここで、前記レール部７３の前記第２側面７３Ｃは、前記弾性部材７１が復元して移動することにより前記レジストローラー４５Ａの回転面から離間する前に、前記支持部７２の前端部と接触可能な位置に設けられる。そのため、前記第１側面７３Ｂ及び前記第２側面７３Ｃにより、前記弾性部材７１及び前記レジストローラー４５Ａの接触状態が維持される。これにより、前記支持部材７２による前記トナー収容容器３６４への振動の付与を反復することが可能となる。ここに、前記第２側面７３Ｃと接触する際の前記支持部材７２の位置が、本発明における第２位置の一例である。
【００３９】
以下、図８〜図１０を参照しつつ、前記振動付与部７の前記トナー収容容器３６４に対する振動付与動作について説明する。ここで、図８は前記レジストローラー４５Ａ、前記トナー収容容器３６４、及び前記振動付与部７の左側面図である。また、図９は図８の二点鎖線で囲まれた領域の拡大図であって、前記レジストローラー４５Ａが停止した状態を示すものである。また、図１０は図８の二点鎖線で囲まれた領域の拡大図であって、前記レジストローラー４５Ａが回転した状態を示すものである。なお、図８〜図１０では、前記レール部７３の記載が省略されている。
【００４０】
まず、図９に示すように、前記レジストローラー４５Ａが停止している状態では、前記弾性部材７１は変形した状態で前記レジストローラー４５Ａに接触している。ここで、前記弾性部材７１の復元による前記支持部材７２の前方向への移動は、前記レール部７３の前記第２側面７３Ｃにより制限されている。また、前記支持部材７２の前記接触部７２Ｅは、前記トナー収容容器３６４の前記内面３６４Ｃから離間した状態となる。
【００４１】
次に、図１０に示すように、前記レジストローラー４５Ａが前記回転方向４５Ｃに沿って回転すると、前記弾性部材７１が前記レジストローラー４５Ａの回転に巻き込まれて変形すると共に後方向に移動する。そのため、前記支持部材７２の前記接触部７２Ｅは、前記弾性部材７１と共に後方向に移動して前記トナー収容容器３６４の前記内面３６４Ｃと接触する。これにより、前記トナー収容容器３６４に振動が付与されて、前記トナー収容容器３６４内に堆積した山状のトナーを崩すことが可能である。なお、前記弾性部材７１の変形による前記支持部材７２の後方向への移動は、前記レール部７３の前記第１側面７３Ｂにより制限される。
【００４２】
そして、前記レジストローラー４５Ａの回転が停止すると、前記弾性部材７１が復元すると共に前方向に移動する。そのため、前記支持部材７２の前記接触部７２Ｅは、前記弾性部材７１と共に前方向に移動して前記トナー収容容器３６４の前記内面３６４Ｃから離間する。なお、前記弾性部材７１の復元による前記支持部材７２の前方向への移動は、前記レール部７３の前記第２側面７３Ｃにより制限される。
【００４３】
このように、前記画像形成装置１０では、前記振動付与部７の前記支持部材７２が、前記レジストローラー４５Ａの回転及び停止に伴って揺動し、前記トナー収容容器３６４に対して接触及び離間する。これにより、前記トナー収容容器３６４に振動が付与されて、前記トナー収容容器３６４内に堆積した山状のトナーを崩すことが可能である。
【００４４】
また、前記画像形成装置１０では、前記振動付与部７が、前記シートの前記転写ニップ部３５Ａへの送出のタイミングを調整するために回転及び停止動作が制御されるレジストローラー４５Ａに接触して設けられている。そのため、前記振動付与部７を他の前記シートの搬送ローラーに接触させる場合と比較して、前記トナー収容容器３６４に対する振動の付与の回数を増加させることが可能である。
【００４５】
なお、図１１に示すように、前記トナー収容容器３６４の前記凹部３６４Ｂに、前記内面３６４Ｃに対向する内面３６４Ｄを設けることが他の実施形態として考えらえる。この場合、前記レジストローラー４５Ａの回転の停止により前記弾性部材７１が復元して前方向に移動した際に、前記接触部７２Ｅが前記内面３６４Ｄに接触可能である。従って、前記トナー収容容器３６４に対する振動付与の回数を増加させることが可能となる。ここに、前記接触部７２Ｅが前記内面３６４Ｃに接触する際の前記支持部材７２の位置が、本発明における第３位置の一例である。また、前記接触部７２Ｅが前記内面３６４Ｄに接触する際の前記支持部材７２の位置が、本発明における第１位置の他の一例であると共に第４位置の一例である。そして、前記接触部７２Ｅが前記内面３６４Ｃ及び３６４Ｄの間を移動する際の前記支持部材７２の位置が、本発明における第２位置の他の一例である。
【符号の説明】
【００４６】
１  ：ＡＤＦ
２  ：画像読取部
３  ：画像形成部
３０Ａ：満杯検知センサー
３６４：トナー収容容器
３６４Ｂ：凹部
４  ：シート搬送部
４５Ａ、４５Ｂ：レジストローラー
５  ：制御部
６  ：操作表示部
７  ：振動付与部
７１：弾性部材
７２：支持部材
７２Ｅ：接触部
７３：レール部
７３Ｂ：第１側面
７３Ｃ：第２側面
１０：画像形成装置
【図１】
2015206962.tif 000003
【図２】
2015206962.tif 000004
【図３】
2015206962.tif 000005
【図４】
2015206962.tif 000006
【図５】
2015206962.tif 000007
【図６】
2015206962.tif 000008
【図７】
2015206962.tif 000009
【図８】
2015206962.tif 000010
【図９】
2015206962.tif 000011
【図１０】
2015206962.tif 000012
【図１１】
2015206962.tif 000013